(57)【要約】【課題】  従来、ゴルフのエントリーを行ったり、スコアなどのデータを記録として残すには、媒体やフォーマットの異なる各種のデータベースを利用せざるを得なかったため、非常に手間がかかり、データの一括した蓄積、整理、把握、参照、分析、或いは情報の交換などが容易にできなかった。【解決手段】  本発明のゴルフ情報システムは、ユーザーのパソコンを主体に、ＧＰＳ機能を持ったモバイル端末やカーナビゲーション及び外部のデータベースサーバーとのネットワークを構築するとともに、公共座標を持った電子地図をベースマップにすることで、ゴルフに関する情報の一元管理、利用の容易化、利活用範囲の拡大を実現したものである。また、ベースマップ上では情報の内容に即して変化するシンボル表示を行うことで、視覚的に分かりやすいものとし、利便性の向上を図った。【選択図】          図１
2006350400.tif 000002
【特許請求の範囲】
【請求項１】
パソコンやモバイル等を使用し、位置情報を有する電子地図をベースに、ゴルフ場ガイドブック、ゴルフ場ホームページ、ゴルフプレイ実績及びスコア管理などに関する情報を一元管理するとともに、自由に情報交換ができることを特徴とするゴルフ情報システム。
【請求項２】
電子地図には、ゴルフ場の位置が旗やボールなどのシンボルマークで明示され、全ての情報はそのシンボルマークを指定することで入出力ができるとともに、プレイ実績などの情報が入力されると、情報の内容に応じて色、形状、数字、或いは文字により、シンボルマークの表示が変化する請求項１に記載のゴルフ情報システム。
【請求項３】
ＧＰＳ機能を持ったモバイル端末等を使って、ゴルフ場からプレイ実績及びスコアなどの情報を入力すると、その位置情報をもとに要求項２の電子地図上にプレイしたゴルフ場が表示されるとともに、スコアなどのデータが蓄積される請求項１に記載のゴルフ情報システム。
【発明の詳細な説明】
【技術分野】
【０００１】
本発明は、ゴルフに関する情報の一元管理化と利活用範囲の拡大を図ったゴルフ情報システムに関する。
【背景技術】
【０００２】
従来、ゴルファーがゴルフプレイのエントリーを行ったり、或いはエントリーしたゴルフ場に関する情報を得るには、ゴルフ場ガイドブックやゴルフ場のホームページを参照し、さらに、当該ゴルフ場までの行程は、別途ゴルフ場マップや道路地図等を使って確認しなければならない。
【０００３】
また、プレイ日時、ゴルフ場名、スコア、同伴競技者、感想などのプレイ実績に関するデータは、帰宅後にスコアカードの整理やゴルフダイアリーへの記帳、ゴルフ場マップ上での当該ゴルフ場のマーキングなど、紙ベースで記録されたり、パソコンの表計算ソフト等を利用して個別の様式で保存されている。
【発明の開示】
【発明が解決しようとする課題】
【０００４】
しかしながら、前述の如くゴルフプレイのエントリーの段階からプレイ実績に関するデータを記録に残すまで、媒体やフォーマットの異なる各種のデータベースを利用せざるを得ないため、非常に手間がかかり不便である。そのため、データの一括した蓄積、整理、把握、参照、分析、或いは情報の交換などが容易にできなかった。
【０００５】
本発明は、斯かる実情に鑑み、ゴルフに関する情報の一元管理、利活用の容易化と利活用範囲の拡大を実現するゴルフ情報システムを提供しようとするものである。
【課題を解決するための手段】
【０００６】
以上の課題を解決するために、第一発明は、パソコンやモバイル等を使用し、位置情報を有する電子地図をベースに、ゴルフ場ガイドブック、ゴルフ場ホームページ、ゴルフプレイ実績及びスコア管理などに関する情報を一元管理するとともに、自由に情報交換ができることを特徴とするゴルフ情報システムである。
【０００７】
また、第二の発明は、電子地図には、ゴルフ場の位置が旗やボールなどのシンボルマークで明示され、全ての情報はそのシンボルマークを指定することで入出力ができるとともに、プレイ実績などの情報が入力されると、情報の内容に応じて色、形状、数字、或いは文字により、シンボルマークの表示が変化するゴルフ情報システムである。
【０００８】
さらに、第三の発明は、ＧＰＳ機能を持ったモバイル端末等を使って、ゴルフ場からプレイ実績及びスコアなどの情報を入力すると、その位置情報をもとにゴルフ情報システムの電子地図上にプレイしたゴルフ場が表示されるとともに、スコアなどのデータが蓄積されるゴルフ情報システムである。
【発明の効果】
【０００９】
上記第一の発明による効果は次の通りである。すなわち、電子地図をベースに、位置情報を有する各ゴルフ場のシンボルマークで構成されたゴルフ場マップを基本メニュー画面とし、そのシンボルマークを指定することにより、ゴルフ場ガイドブックの閲覧、ゴルフ場のホープページへのリンク、実績スコアなどのデータ管理が一括して行え、視覚的にも分かりやすいため、ゴルフに関する情報の利活用が容易になる。さらに、各データベースとシンボルマークがお互いにリンクスするシステムであるため、地図に示されたゴルフ場のシンボルマークからデータベースを検索したり、各データベースをもとに関連するゴルフ場を地図上に明示することができるため、多様な利活用が可能となる。また、長年にわたる蓄積データの統計解析とその表示機能により、プレイヤーの技術力向上のための基礎データの構築、或いはゴルフ場の難易度評価等が可能になる。また、公共座標系の電子地図をベースマップに使用することで、前述の多種多様な情報交換を共通の地図上で容易に行うことができる。
【００１０】
また、第二の発明による効果は次の通りである。すなわち、電子地図上にゴルフ場がシンボルマークで表示され、実績スコアを入力すると、自動的にプレイ回数やスコアの良否、或いはゴルフ場の評価等に応じて、そのシンボルマークに数字や文字が表示されたり、色や形状が変化するため、プレイヤーはプレイ実績の有無やその内容について容易に管理することが可能となる。
【００１１】
さらに、第三の発明による効果は次の通りである。すなわち、プレイが終わったゴルフ場で、ＧＰＳ機能を持った携帯電話やカーナビゲーション等のモバイル端末からスコア等の情報を入力すると、インターネットサービスを介して、プレイヤーが保有するパソコンのゴルフ情報システムに自動的にデータが入力されるため、データ入力の迅速化と効率化が図れる。また、多数のプレイヤーを対象とした共通のデータベースサーバーにも同時配信が可能なため、より多くのプレイヤーの情報収集が可能となる。
【発明を実施するための最良の形態】
【００１２】
以下、本発明の一実施の形態を図１〜図４に基づいて説明する。
【００１３】
各ユーザーのパソコンにインストールされた、ゴルフ情報システムのメニュー画面の概要を図１に示す。操作の基本画面となるゴルフ場マップは、公共座標を持った電子地図であり、その上に表示されたゴルフ場のシンボル等も、同様な座標値を有するため、不特定多数のユーザーのデータが入出力可能となり、ＧＰＳ機能を持ったモバイル端末やカーナビゲーションシステム等とのデータ交換が容易となる。また、ユーザーが分かりやすいように、過去の実績スコア等に基づき、ゴルフ場の位置が図２に示されるようなシンボルマークで表示されている。さらに、基本画面にはゴルフ場検索、ゴルフ場ガイド参照、スコア管理、外部データベースやモバイル機器とのデータ交換、ゴルフ場ホームページへのリンクなど、ゴルフに関する情報の一元管理が可能となる各種機能とそのメニュー画面を備えている。ゴルフ場の検索は、ゴルフ場マップからの検索とゴルフ場一覧からの検索のどちらからも可能で、お互いにリンクが可能である。
【００１４】
ゴルフ場を示すシンボルマークには、過去のプレイ回数、実績スコアの状況、ゴルフ場の評価等を表示する機能を持たせている。ユーザーがプレイ後に、スコアやゴルフ場の評価を入力するだけで、ゴルフ場マップ上の旗にプレイ回数を示す数字や、平均スコアに応じた旗の色分け表示が自動的に行われる。また、ゴルフ場の評価については、例えばゴルフボール等のシンボルマークを使って、個数表示で表現することが可能である。
【００１５】
また、図３に外部ネットワークと本ゴルフ情報システムの関係を示す。本ゴルフ情報システムを中心に、ＧＰＳ機能付きのモバイル端末、外部のデータベースサーバー、ゴルフ場のホームページ等と一般に普及しているインターネット回線を使って相互にリンクすることで、いつでも何処でも簡単に情報交換ができるユピキタス環境の構築が可能となる。特に、ＧＰＳ機能付きのモバイル端末を使って、ゴルフ場から実績スコア等のデータを送信すると、自動的に位置情報が添付されるため、その位置情報をもとに、自動的に当該ゴルフ場のデータとして入力されるとともに、当システムのゴルフ場マップ上で内容に応じたシンボルが表示される。
【００１６】
以下、図４のシステム利用のフローを使って、上記構成の動作を説明する。プレイするゴルフ場を検討したり、或いはプレイするゴルフ場に関する情報を入手する場合は、ゴルフ場マップのゴルフ場の場所を示すシンボルマークを指定するか、ゴルフ場一覧から直接ゴルフ場名を指定する。指定が行われると、画面表示が切り替わり、過去のスコア、同伴競技者等の記録、ゴルフ場に関する評価等が表やグラフで表示される。また、ゴルフ場に関する様々な情報を蓄積したゴルフ場ガイドの表示や、ゴルフ場のホームページへのリンク、さらには、モバイル端末や外部データベース等とのリンクメニューが表示される。プレイするゴルフ場が決定したら、地図等の必要な資料を印刷したり、カーナビゲーションとの連動により、目的地の指定を自動で行うことができる。
【００１７】
モバイル端末を使って、プレイ中或いはプレイ終了後にスコアを入力し、当該ゴルフ場からデータを送信すると、一般のインターネット回線を介してユーザーのゴルフ情報システムにデータが蓄積されるとともに、ゴルフ場マップ上に自動的にシンボルの表示が行われる。モバイル端末を使用しない場合は、ユーザーのゴルフ情報システムのメニュー画面から、該当するゴルフ場を選定してデータの入力を行う。
【００１８】
この様にして入力されたデータは、自動的に位置情報とプレイした日時等の時間情報も合わせて持っているため、地図上への表示や時系列のデータ整理、解析及び表示が容易に行え、ユーザーは自分のニーズに合わせた利活用が可能となる。また、それらのデータの内容は、シンボルマークの表示をプレイ回数やスコアの内容等に応じて自動的に変化させるため、ユーザーにとって視覚的にも非常に分かりやすい形態となっている。
【００１９】
また、各プレイヤーの持つ個々の情報を、一般に普及しているインターネット回線を使って外部の共用サーバーに蓄積することで、任意のグループ内でのスコア管理やオープンな情報の交換が可能となり、新しい形のゴルフ場に関する情報提供システムが構築される。
【００２０】
「他の実施形態」  
図２の実施形態では、シンボルの形状が旗やゴルフボールで、情報の内容は数字と旗の色で表示するようになっているが、これらの形態はユーザーにとって理解しやすいものであれば、どの様なものでも構わない。
【００２１】
尚、本発明のゴルフ情報システムは、上記した実施の形態に限定されるものではなく、本発明の要旨を逸脱しない範囲内において種々変更を加え得ることは勿論である。
【産業上の利用可能性】
【００２２】
上述したように本発明のゴルフ情報システムは、ユーザーのパソコンを主体に、ＧＰＳ機能を持ったモバイル端末やカーナビゲーション及び外部のデータベースサーバーとのネットワークを構築するとともに、公共座標を持った電子地図をベースマップにすることで、
ゴルフに関する情報の一元管理、利用の容易化、利活用範囲の拡大を実現したものであり、ユピキタス環境を付加した新しい形のゴルフに関する情報システムを提供できる。
【００２３】
また、ゴルフ場マップ上では情報の内容に即して変化するシンボル表示を行うことで、さらにユーザーにとって視覚的に分かりやすく、利便性の向上効果を発揮するものである。
【図面の簡単な説明】
【００２４】
【図１】ゴルフ情報システムのメニュー画面の概要図
【図２】システム上でゴルフ場の位置等を示すシンボルの表示事例
【図３】外部ネットワークと本システムの構成図
【図４】システム利用のフロー図
【符号の説明】
【００２５】
１  システムのメイン画面となるゴルフ場マップ
２  システムのメニュー一覧
３  ゴルフ場名で検索するためのゴルフ場一覧
【図１】
2006350400.tif 000003
【図２】
2006350400.tif 000004
【図３】
2006350400.tif 000005
【図４】
2006350400.tif 000006